(57)【要約】【課題】  プッシュ式ボタンの操作により、吐水量の変更を簡便・迅速に行うことができるようにすることにより、節水効果を高めることのできる給水栓を提供すること。【解決手段】  給湯配管１２及び給水配管１３から供給される湯及び水を適宜量に調節して吐出するシャワーヘッド１０を備えた給水栓において、シャワーヘッド１０からの湯水の吐出量の開始及び停止並びに調整を行うための吐止水流量調節弁２３と、吐止水流量調節弁２３の操作を行う操作ハンドル８と、吐止水流量調節弁２３とシャワーヘッド１０との間に連通接続されるとともに、定流量弁２８を装着した第一流路２６と、吐止水流量調節弁２３とシャワーヘッド１０との間に連通接続されるとともに、プッシュ式ボタン９により開閉操作が可能な第二開閉弁３２を装着した第二流路３０とを設け、第一流路２６と第二流路３０とをシャワーヘッド１０上流側において連通接続した。    【選択図】    図３
2009019450.tif 000002
【特許請求の範囲】
【請求項１】
給湯配管または給水配管の少なくとも一方から供給される湯または水を適宜量に調節して吐出する吐水部を備えた給水栓であって、該吐水部からの湯または水の吐出量の開始及び停止並びに調整を行うための第一開閉弁と、該第一開閉弁の操作を行う第一開閉弁操作手段と、
該第一開閉弁と前記吐水部との間に連通接続されるとともに、定流量弁を装着した第一流路と、
該第一開閉弁と前記吐水部との間に連通接続されるとともに、プッシュ式ボタンにより開閉操作が可能な第二開閉弁を装着した第二流路と、が備えられ、
前記第一流路と第二流路とは吐水部上流側において連通接続されたことを特徴とする給水栓。
【請求項２】
前記給水栓が湯水混合水栓であることを特徴とする請求項１に記載の給水栓。
【請求項３】
給水栓本体に対して前記定流量弁を着脱自在に設けたことを特徴とする請求項１または請求項２に記載の給水栓。
【発明の詳細な説明】
【技術分野】
【０００１】
本発明は、給水栓に関し、特にプッシュ式ボタンを備えた給水栓に関する。
【背景技術】
【０００２】
従来、給水栓には、通常の吐水時の吐水量の他に、小吐水や大吐水などの別の吐水量に選択的に変更することが可能なものが知られている。このような給水栓には、例えば、流路の途中にディスク弁などの流量調節手段を取り付け、あらかじめこのディスク弁の開閉量を調節しておくことによって使用者の要望や仕様態様に応じた吐水量を得ることができるように設けられたものがある（例えば、特許文献１参照。）
【０００３】
【特許文献１】特開２００４−９２０６９号公報（図１）
【発明の開示】
【発明が解決しようとする課題】
【０００４】
このような給水栓では、所望の吐水量に変更することは可能ではあるが、変更のためには、あらかじめ流量調節手段により吐水量を調節しておく必要がある。したがって、吐水量を簡便・迅速に変更することは困難であり、また、頻繁に吐水量を変更することも困難であった。このため、少量の吐水で足りる使用態様であっても多量の吐水を行うことが多くなり、給水栓の節水効果を高めることができなかった。
【０００５】
本発明は上記した従来の給水栓の問題点を解消するものであり、プッシュ式ボタンの操作により、吐水量の変更を簡便・迅速に行うことができるようにすることにより、節水効果を高めることのできる給水栓を提供することを目的とする。
【課題を解決するための手段】
【０００６】
以上の課題を解決するために、本発明の採った手段を以下に説明する。本発明の給水栓は、給湯配管または給水配管の少なくとも一方から供給される湯または水を適宜量に調節して吐出する吐水部を備えた給水栓であって、該吐水部からの湯または水の吐出量の開始及び停止並びに調整を行うための第一開閉弁と、該第一開閉弁の操作を行う第一開閉弁操作手段と、該第一開閉弁と前記吐水部との間に連通接続されるとともに、定流量弁を装着した第一流路と、該第一開閉弁と前記吐水部との間に連通接続されるとともに、プッシュ式ボタンにより開閉操作が可能な第二開閉弁を装着した第二流路と、が備えられ、前記第一流路と第二流路とは吐水部上流側において連通接続されたことを特徴とする給水栓（請求項１）である。
【０００７】
このような第一流路と第二流路とが吐水部の上流側において連通接続されているので、第二開閉弁を閉止している場合には、定流量弁によって規制された所定流量の吐水を第一流路を介して行うことができ、第二開閉弁を開放している場合には、定流量弁の所定流量に加えて第二流路からの吐水量も合わせた吐水を行うことができる。このようにして、吐水部から小吐水と大吐水とを選択的に行うことができる。そして、第二開閉弁の開閉はプッシュ式ボタンにより操作することが可能であるので、このような小吐水及び大吐水の選択操作は、回転式ハンドルやレバー式ハンドルのような操作を必要とせず、極めて簡便・迅速に行うことが可能である。
【０００８】
本発明において「吐水部」は吐水口やシャワーヘッドなどの湯や水を吐出する全ての部材を指す。また、「プッシュ式ボタン」とは簡単な押動操作や接触操作により操作を行うことのできるボタンを広く含む。
【０００９】
また、上記した給水栓を湯水混合水栓に適用することとしても良い（請求項２）。
【００１０】
また、給水栓本体に対して定流量弁を着脱自在に設けることとしても良い（請求項３）。
【００１１】
定流量弁を着脱自在とすることにより、定流量弁が容易に取り替え可能となり、小吐水時の流量を容易に変更することができる。
【発明の効果】
【００１２】
本発明は上記のように、プッシュ式ボタンにより大吐水または小吐水の選択操作を簡便・迅速に行うことができるので、こまめに小吐水に切り換えることが可能となり、給水栓の節水効果を高めることができる。
【発明を実施するための最良の形態】
【００１３】
次に、本発明の給水栓の実施の形態を図を参考にして詳細に説明する。図１に示すように、本発明の給水栓１は、洗面化粧台２に設置されるものである。洗面化粧台２は、キャビネット３が下部に、前面に鏡扉４が取り付けられたドレッサー５が上部に備えられている。キャビネット３の上部には洗面ボウル６が設置されており、この洗面ボウル６の上方の部位のドレッサー５下部に、本発明の給水栓１が内蔵されている。なお、本発明の給水栓は、上記のような洗面化粧台２に用いるほか、浴室内、キッチンまたは屋外に設置する給水栓など、他の設置場所に用いる給水栓に適用することもできる。
【００１４】
図２に示すように、給水栓１はドレッサー５下部のパネル７の前面側にその構成の一部を露呈させて設置されている。具体的には、パネル７の右端寄りには、本発明の「第一開閉弁操作手段」の一例に相当するシングルレバー式の操作ハンドル８が取り付けられ、この操作ハンドル８の左側には、吐水量の大小を切り換えるプッシュ式ボタン９が取り付けられている。また、パネル７のほぼ中央の下部には、本発明の「吐水部」の一例に相当する引き出し式のシャワーヘッド１０が着脱自在に取り付けられている。
【００１５】
次いで図３を参照して給水栓１の詳細について説明する。給水栓１は洗面化粧台２背面の壁面１１裏側から引き込まれた給湯配管１２及び給水配管１３に連通接続されている。給水栓本体２０には温度調節弁２２が備えられており、給湯配管１２及び給水配管１３から供給される湯・水を適宜量混合され、前述した操作ハンドル８によって所望の温度に設定される。また、給水栓本体２０には本発明の「第一開閉弁」の一例に相当する吐止水流量調節弁２３が内蔵されており、同様に、操作ハンドル８によって吐止水及び流量の調節が行われる。
【００１６】
温度調節弁２２及び吐止水流量調節弁２３の下流側には第一流路２６及び第二通路３０が連通接続されている。第一流路２６及び第二通路３０は温度調節弁２２及び吐止水流量調節弁２３に連なる流路２４からいったんそれぞれ分岐し、シャワーヘッド１０に至る流路３４において再びひとつに集合されて連通接続されている。
【００１７】
第一流路２６の途中には定流量弁２８が装着されている。定流量弁２８は第一流路２６の流量を所定内に制限するものであり、前述した操作ハンドル８による吐止水流量調節弁２３の操作によって定められた吐水流量がこの定流量弁２８による制限吐水流量を越える場合には第一流路２６の流量を所定以下に制限する。本例では、定流量弁２８は毎分５リットルの制限流量のものを使用したが、別の制限流量の定流量弁を使用することとしても良い。また、この定流量弁２８は第一流路２６に着脱自在に設けられており、別の制限流量の定流量弁に容易に変更することができる。
【００１８】
第二流路３０の途中には、第二流路３０を開閉するための第二開閉弁３２が設けられている。第二開閉弁３２は、電磁式の開閉弁が用いられており、プッシュ式ボタン９の押動操作により開閉が行われる。よって、レバーハンドルのように大きな動作を必要とすることなく第二開閉弁３２の開閉操作を行うことができる。プッシュ式ボタン９を押す毎に開閉弁の開閉動作が交互に行われる。
【００１９】
第一流路２６及び第二流路３０の下流側端部は集合されて流路３４に連通接続されている。そして、流路３４の下流側端部はシャワーヘッド１０が接続されている。
【００２０】
このように構成された給水栓１は下記の例のように使用することができる。まず、大吐水時には第二開閉弁３２が開放されるようにプッシュ式ボタン９によってあらかじめ開放操作を行っておき、操作ハンドル８によって、任意の湯温に設定した吐水をシャワーヘッド１０から行わせる。シャワーヘッド１０は着脱自在に取り付けられているので、パネル７下部に取り付けたまま吐水口のように使用しても良いし、パネル７から取り外してハンドシャワーとして使用しても良い。
【００２１】
一方、小吐水にて使用する場合には、プッシュ式ボタン９を押動操作することにより第二開閉弁３２が閉止されるように操作する。この操作の際には、プッシュ式ボタン９の押動操作という僅かな動作によって小吐水に切り換えることができる。また、逆に小吐水から大吐水に切り換える場合にも、同様に僅かな動作で足りる。
【００２２】
したがって、小吐水で足りる場合には簡便・迅速に大吐水から切り換えることができ、給水栓１の節水効果を高めることができる。具体的には、例えば、大吐水によって手を洗った後にコンタクトレンズを洗浄したりする場合や、浴室内で洗髪後に洗いおけをさっと流したりする場合や、入浴を終えて浴室から出る直前にさっと身体を流す場合などにこまめに小吐水に切り換えることが可能である。また、いったん吐水を止めると吐水温度が下がってしまい再度吐水を開始した場合に設定した湯温に上がるまでに時間を要するが、大吐水を使用した後に、再度大吐水を使用するまでの間に小吐水に切り換えて湯温を下げない要して、その後再度大吐水に切り換えると、所定の湯温の大吐水をすぐに使用することができ、給水栓１の利便性を向上させることもできる。
【００２３】
本発明は上記した実施の形態に限られるものではなく、本発明の趣旨の範囲内で種々の変更が可能である。例えば、上記した給水栓１は湯水混合水栓であったが、これに限られず、単水栓など他の種類の給水栓に本発明を適用することもできる。また、上記した給水栓１ではシャワーヘッド１０のみを「吐水部」として備えるものであったが、吐水口など他の「吐水部」を備えるものや、シャワーヘッドと吐水口などの複数の「吐水部」を備える給水栓に適用することもできる。
【図面の簡単な説明】
【００２４】
【図１】本発明の給水栓を用いた洗面化粧台の正面図である。
【図２】図１の洗面化粧台の要部拡大正面図である。
【図３】給水栓のブロック図である。
【符号の説明】
【００２５】
１；給水栓、２；洗面化粧台、３；キャビネット、４；鏡扉、５；ドレッサー、６；洗面ボウル、７；パネル、８；操作ハンドル、９；プッシュ式ボタン、１０；シャワーヘッド、１１；壁面、１２；給湯配管、１３；給水配管、２０；給水栓本体、２２；温度調節弁、２３；吐止水流量調節弁、２４；流路、２６；第一流路、２８；定流量弁、３０；第二通路、３２；第二開閉弁、３４；流路。
【図１】
2009019450.tif 000003
【図２】
2009019450.tif 000004
【図３】
2009019450.tif 000005